(57)【要約】【課題】業務処理を行う際の操作を簡便化し、業務の操作性向上を図る。【解決手段】ＣＰＵ１１は、業務処理に係る複数の入力項目に関する入力情報を、当該業務処理に関する複数のアプリケーションプログラムを起動させるためのコマンド形式でユーザが一括で入力する入力画面を表示部１４に表示させ、入力画面に入力された入力情報に基づき複数アプリケーションプログラムを起動させて、入力画面に入力された入力情報を反映させた状態で、複数のアプリケーション画面を表示部１４に表示させる。【選択図】図１
2018101167.tif 000002
【特許請求の範囲】
【請求項１】
業務処理に係る複数の入力項目に関する入力情報を、当該業務処理に関する複数のアプリケーションプログラムを起動させるためのコマンド形式でユーザが一括で入力する入力画面を表示手段に表示させる第１の表示制御手段と、
前記入力画面に入力された入力情報に基づき複数のアプリケーションプログラムを起動させ、複数のアプリケーション画面を前記表示手段に表示させる第２の表示制御手段と、
を備え、
前記第２の表示制御手段は、前記複数のアプリケーション画面の各々における複数の入力項目に対して、前記入力画面に入力された入力情報を反映させて前記表示手段に表示させる情報処理装置。
【請求項２】
業務処理の種類と、起動するアプリケーションプログラムとを対応づけて記憶する記憶手段を備え、
前記第２の表示制御手段は、前記記憶手段に基づいて、前記入力画面に入力された入力項目に係る業務処理の種類に対応するアプリケーションプログラムを選択して起動させる請求項１に記載の情報処理装置。
【請求項３】
前記入力画面は、業務処理に係る複数の入力項目に関する入力情報が順番に連続して入力される入力領域を有する請求項１又は２に記載の情報処理装置。
【請求項４】
前記入力項目は、前記複数のアプリケーション画面で共通の入力項目と、各アプリケーション画面で独自の入力項目と、を有し、
前記入力領域には、前記共通の入力項目に関する入力情報と、前記独自の入力項目に関する入力情報とが入力され、
前記第２の表示制御手段は、前記複数のアプリケーション画面の前記共通の入力項目に対して、前記入力画面に入力された前記共通の入力項目に関する入力情報を共用する請求項３に記載の情報処理装置。
【請求項５】
前記入力画面は、
業務処理に係る複数の入力項目に関する入力情報が順番に連続して入力される入力領域と、
前記入力領域に次に入力する入力項目をユーザに提示する補助ガイダンス表示領域と、
を有する請求項１〜４のいずれか一項に記載の情報処理装置。
【請求項６】
業務処理に係る複数の第１入力項目に関する入力情報を、当該業務処理に関する複数のアプリケーションプログラムを起動させるためのコマンド形式でユーザが入力する入力画面を表示手段に表示させる第１の表示制御手段と、
前記入力画面に入力された入力情報に基づき複数のアプリケーションプログラムを起動させ、所定の順にアプリケーション画面を前記表示手段に表示させる第２の表示制御手段と、
を備え、
前記第２の表示制御手段は、前記アプリケーション画面の各々における複数の第２入力項目に対して、前記入力画面に入力された入力情報のうち少なくとも一部の前記第１入力項目に入力された入力情報を反映させて前記表示手段に表示させる情報処理装置。
【請求項７】
コンピュータを、
業務処理に係る複数の入力項目に関する入力情報を、当該業務処理に関する複数のアプリケーションプログラムを起動させるためのコマンド形式でユーザが一括で入力する入力画面を表示手段に表示させる第１の表示制御手段、
前記入力画面に入力された入力情報に基づき複数のアプリケーションプログラムを起動させ、複数のアプリケーション画面を前記表示手段に表示させる第２の表示制御手段、
として機能させるプログラムであって、
前記第２の表示制御手段は、前記複数のアプリケーション画面の各々における複数の入力項目に対して、前記入力画面に入力された入力情報を反映させて前記表示手段に表示させるプログラム。
【請求項８】
コンピュータを、
業務処理に係る複数の第１入力項目に関する入力情報を、当該業務処理に関する複数のアプリケーションプログラムを起動させるためのコマンド形式でユーザが入力する入力画面を表示手段に表示させる第１の表示制御手段、
前記入力画面に入力された入力情報に基づき複数のアプリケーションプログラムを起動させ、所定の順にアプリケーション画面を前記表示手段に表示させる第２の表示制御手段、
として機能させるプログラムであって、
前記第２の表示制御手段は、前記アプリケーション画面の各々における複数の第２入力項目に対して、前記入力画面に入力された入力情報のうち少なくとも一部の前記第１入力項目に入力された入力情報を反映させて前記表示手段に表示させるプログラム。
【発明の詳細な説明】
【技術分野】
【０００１】
本発明は、情報処理装置及びプログラムに関する。
【背景技術】
【０００２】
従来、企業等の団体に所属する人員（社員）の人事情報を、コンピュータを用い管理する人事情報管理装置が知られている。
このような人事情報管理装置では、管理している人事情報を画面上に表示させて必要に応じて印刷したり、新たな人事情報を画面上で入力したりといった業務処理が行われる（例えば、特許文献１参照）。
【先行技術文献】
【特許文献】
【０００３】
【特許文献１】特開平０７−２９５７７４号公報
【発明の概要】
【発明が解決しようとする課題】
【０００４】
しかしながら、従来の装置では、業務処理を行う際に、ユーザの操作として、ログイン操作、メニュー選択操作、入力画面操作等の各種画面操作が必要となるのが一般的である。
このため、ユーザは、業務処理の内容に応じた画面操作手順を習得する必要があり、また、各種画面操作が組み合わされているため、操作の手数が多く、操作が煩雑であるといった問題点があった。
【０００５】
本発明の課題は、業務処理を行う際の操作を簡便化し、業務の操作性向上を図ることである。
【課題を解決するための手段】
【０００６】
上記課題を解決するために、本発明の情報処理装置は、業務処理に係る複数の入力項目に関する入力情報を、当該業務処理に関する複数のアプリケーションプログラムを起動させるためのコマンド形式でユーザが一括で入力する入力画面を表示手段に表示させる第１の表示制御手段と、前記入力画面に入力された入力情報に基づき複数のアプリケーションプログラムを起動させ、複数のアプリケーション画面を前記表示手段に表示させる第２の表示制御手段と、を備え、前記第２の表示制御手段は、前記複数のアプリケーション画面の各々における複数の入力項目に対して、前記入力画面に入力された入力情報を反映させて前記表示手段に表示させる。
【発明の効果】
【０００７】
本発明によれば、業務処理を行う際の操作を簡便化し、業務の操作性向上を図ることができる。
【図面の簡単な説明】
【０００８】
【図１】本発明の実施の形態の人事情報管理装置を示すブロック図である。
【図２】社員基本情報テーブルの構成を示す図である。
【図３】判定テーブルの構成を示す図である。
【図４】人事情報入力処理を示すフローチャートである。
【図５】入力画面の一例を示す図である。
【図６】休職情報登録画面の一例を示す図である。
【図７】給与情報登録画面の一例を示す図である。
【図８】通勤手当情報登録画面の一例を示す図である。
【図９】入力画面の他の例を示す図である。
【図１０】発令情報登録画面の一例を示す図である。
【図１１】給与情報登録画面の一例を示す図である。
【図１２】発令情報実行画面の一例を示す図である。
【発明を実施するための形態】
【０００９】
以下、添付図面を参照して本発明に係る実施の形態を詳細に説明する。なお、本発明は、図示例に限定されるものではない。
【００１０】
先ず、図１を参照して、本実施の形態の装置構成を説明する。図１は、本実施の形態の人事情報管理装置１０を示すブロック図である。
【００１１】
情報処理装置としての人事情報管理装置１０は、企業に設置され、当該企業の社員の個人情報としての人事情報を管理する装置である。人事情報管理装置１０は、採用管理、労務管理、給与管理等に関連した業務処理により、社員の人事情報の登録、管理を行う。但し、人事情報管理装置１０は、企業の社員の人事情報を管理する構成に限定されるものではなく、社員以外の人材の個人情報を管理する構成としてもよい。
【００１２】
図１に示すように、人事情報管理装置１０は、第１の表示制御手段、第２の表示制御手段としてのＣＰＵ（Central Processing Unit）１１と、操作部１２と、ＲＡＭ（Random Access Memory）１３と、表示手段としての表示部１４と、記憶手段としての記憶部１５と、通信部１６と、を備える。人事情報管理装置１０の各部は、バス１７を介して接続されている。
【００１３】
ＣＰＵ１１は、人事情報管理装置１０の各部を制御する。ＣＰＵ１１は、記憶部１５に記憶されているシステムプログラム及びアプリケーションプログラムのうち、指定されたプログラムを読み出してＲＡＭ１３に展開し、当該プログラムとの協働で、各種処理を実行する。
【００１４】
操作部１２は、キーボード等のキー入力部と、マウス等のポインティングデバイスとを有し、操作者（ユーザ）からのキー操作入力及び位置操作入力を受け付け、その操作情報をＣＰＵ１１に出力する。
【００１５】
ＲＡＭ１３は、揮発性のメモリであり、各種のデータやプログラムを一時的に格納するワークエリアを形成する。表示部１４は、ＬＣＤ（Liquid Crystal Display）、ＥＬ（ElectroLuminescent）ディスプレイ等で構成され、ＣＰＵ１１から指示された表示情報に従い各種表示を行う。
【００１６】
記憶部１５は、ＨＤＤ（Hard Disk Drive）、ＳＳＤ（Solid State Drive）等により構成され、データ及びプログラムを書き込み及び読み出し可能な記憶部である。記憶部１５は、例えば、社員基本情報テーブルＴ１、判定テーブルＴ２、人事情報入力プログラム１５１、休職情報登録プログラム１５２、給与情報登録プログラム１５３、通勤手当情報登録プログラム１５４、発令情報登録プログラム１５５、発令情報実行プログラム１５６、基本情報登録プログラム１５７等を記憶している。
【００１７】
通信部１６は、ネットワークカード等により構成され、通信ネットワーク（図示略）上のデータベース等の機器に接続される。通信ネットワークは、ＬＡＮ（Local Area Network）、ＷＡＮ（Wide Area Network）等である。ＣＰＵ１１は、通信部１６を介して、通信ネットワーク上の機器と通信が可能である。
【００１８】
なお、本実施の形態では、社員基本情報テーブルＴ１、判定テーブルＴ２等が記憶部１５に記憶されているものとして説明するが、これに限定されるものではない。例えば、通信部１６を介して通信接続されたサーバ等の記憶装置に社員基本情報テーブルＴ１、判定テーブルＴ２が記憶され、ＣＰＵ１１は、必要に応じて、通信部１６を介して、記憶装置にアクセスし、社員基本情報テーブルＴ１、判定テーブルＴ２を読み出し、書き込みする構成としてもよい。
【００１９】
次に、図２、図３を参照して、記憶部１５に記憶されている情報を説明する。
【００２０】
図２は、社員基本情報テーブルＴ１の構成を示す図である。
社員基本情報テーブルＴ１は、企業に所属する社員の現在の基本情報を管理するデータテーブルである。図２に示すように、社員基本情報テーブルＴ１は、「社員番号」Ｔ１１、「社員氏名」Ｔ１２、「所属」Ｔ１３、「役職」Ｔ１４、「性別」Ｔ１５、「年齢」Ｔ１６、「資格」Ｔ１７等のフィールドを有する。
【００２１】
「社員番号」Ｔ１１は、個々の社員を識別可能とする固有番号である。「社員氏名」Ｔ１２は、「社員番号」Ｔ１１の社員の氏名である。「所属」Ｔ１３は、「社員番号」Ｔ１１の社員の所属する部署である。「役職」Ｔ１４は、「社員番号」Ｔ１１の社員の役職である。「性別」Ｔ１５は、「社員番号」Ｔ１１の社員の年齢である。「年齢」Ｔ１６は、「社員番号」Ｔ１１の社員の年齢である。「資格」Ｔ１７は、「社員番号」Ｔ１１の社員の現在取得している資格である。
【００２２】
図３は、判定テーブルＴ２の構成を示す図である。
判定テーブルＴ２は、後述の人事情報入力処理において参照されるデータテーブルである。図３に示すように、判定テーブルＴ２は、「業務処理」Ｔ２１、「第１引数」Ｔ２２、「第２引数」Ｔ２３、「第３引数」Ｔ２４、「第４引数」Ｔ２５、「第５引数」Ｔ２６、「第６引数」Ｔ２７、「プログラム１」Ｔ２８、「プログラム２」Ｔ２９、「プログラム３」Ｔ３０等のフィールドを有する。
【００２３】
「業務処理」Ｔ２１は、後述の人事情報入力処理において人事情報を入力する業務処理の種類を示すフィールドである。「第１引数」Ｔ２２〜「第６引数」Ｔ２７は、「プログラム１」Ｔ２８〜「プログラム３」Ｔ３０のプログラム起動時に用いられる入力項目を設定したフィールドである。「プログラム１」Ｔ２８〜「プログラム３」Ｔ３０は、「業務処理」Ｔ２１の種類に応じ、起動するアプリケーションプログラムを設定したフィールドである。
なお、図３の例では、業務処理の種類ごとに、「プログラム１」Ｔ２８〜「プログラム３」Ｔ３０により３つのプログラムが設定されているが、設定されるプログラムの数は「業務処理」Ｔ２１の業務処理の種類に応じて異なるものであって、その数は限定されない。また、「第１引数」Ｔ２２〜「第６引数」Ｔ２７により６つの入力項目が設定されているが、設定される入力項目の数は、「プログラム１」Ｔ２８〜「プログラム３」Ｔ３０に応じて異なるものであって、その数は限定されない。
【００２４】
次に、人事情報管理装置１０の動作を説明する。
人事情報管理装置１０においては、人事情報入力処理が実行される。
本実施の形態の人事情報入力処理では、業務処理に係る各種入力項目に関する情報（入力情報）を、当該業務処理に関する複数のアプリケーションプログラムを起動させるためのコマンド形式で一括入力することで、入力された複数の入力項目の入力情報を、それらに対応するアプリケーション画面の入力領域に反映させることができ、業務処理に必要な入力を容易に完了させることを可能としている。
【００２５】
図４は、人事情報入力処理を示すフローチャートである。
人事情報管理装置１０において、例えば、操作部１２を介してユーザから人事情報入力処理の実行指示が入力されたことをトリガとして、ＣＰＵ１１は、記憶部１５から読み出して適宜ＲＡＭ１３に展開した人事情報入力プログラム１５１との協働で、人事情報入力処理を実行する。
【００２６】
図４に示すように、先ず、ＣＰＵ１１は、各種入力項目に関する入力情報をコマンド形式で一括入力するための入力画面２０（図５、図９参照）を表示部１４に表示する（ステップＳ１０１）。
【００２７】
次いで、ＣＰＵ１１は、入力画面２０により、操作部１２を介して、各種入力項目の入力および実行の指示を受け付ける（ステップＳ１０２）と、判定テーブルＴ２を読み込む（ステップＳ１０３）。
【００２８】
次いで、ＣＰＵ１１は、判定テーブルＴ２の「業務処理」Ｔ２１から、入力された業務処理の種類に該当する行を参照し、その行の「プログラム１」列に記載されているアプリケーションプログラムを起動する（ステップＳ１０４）。
例えば、入力された業務処理の種類が「休職」の場合、ＣＰＵ１１は、「業務処理」Ｔ２１が「休職」となっている行の「プログラム１」列を参照して、休職情報登録プログラム１５２を起動する。
また、入力された業務処理の種類が「昇格」の場合、ＣＰＵ１１は、「業務処理」Ｔ２１が「昇格」となっている行の「プログラム１」列を参照して、発令情報登録プログラム１５５を起動する。
【００２９】
次いで、ＣＰＵ１１は、入力画面２０で入力された入力情報に基づいて、起動したアプリケーションプログラムの画面上に配置された入力項目を自動入力した第１のアプリケーション画面（図６、図１０参照）を表示部１４に表示する（ステップＳ１０５）。
具体的には、ＣＰＵ１１は、「第１引数」Ｔ２２〜「第６引数」Ｔ２７により設定された入力項目の中から、起動したプログラムの画面上に配置された入力項目を抽出し、その入力項目に関する入力情報を用いて、入力項目に自動入力した第１のアプリケーション画面を表示部１４に表示する。
例えば、業務処理の種類が「休職」の場合、起動された休職情報登録プログラム１５２では、「第１引数」Ｔ２２〜「第４引数」Ｔ２５の入力項目に関する入力情報が、当該プログラムの画面上に配置された社員番号、就業区分、休職事由、休職期間の各入力項目に自動入力される。
また、業務処理の種類が「昇格」の場合、起動された発令情報登録プログラム１５５では、「第１引数」Ｔ２２〜「第３引数」Ｔ２４の入力項目に関する入力情報が、当該プログラムの画面上に配置された社員番号、発令後資格、発令日の各入力項目に自動入力される。
【００３０】
次いで、操作部１２を介して、第１のアプリケーション画面上の入力情報の内容を確定する指示を受け付けると（ステップＳ１０６）、ＣＰＵ１１は、判定テーブルＴ２の「業務処理」Ｔ２１から、入力された業務処理の種類に該当する行を参照し、その行の「プログラム２」列に記載されているプログラムを起動する（ステップＳ１０７）。
例えば、入力された業務処理の種類が「休職」の場合、ＣＰＵ１１は、「業務処理」Ｔ２１が「休職」となっている行の「プログラム２」列を参照して、給与情報登録プログラム１５３を起動する。
また、入力された業務処理の種類が「昇格」の場合、ＣＰＵ１１は、「業務処理」Ｔ２１が「昇格」となっている行の「プログラム２」列を参照して、給与情報登録プログラム１５３を起動する。
【００３１】
次いで、ＣＰＵ１１は、入力画面２０で入力された入力情報に基づいて、起動したアプリケーションプログラムの画面上に配置された入力項目を自動入力した第２のアプリケーション画面（図７、図１１参照）を表示部１４に表示する（ステップＳ１０８）。
具体的には、ＣＰＵ１１は、「第１引数」Ｔ２２〜「第６引数」Ｔ２７により設定された入力項目の中から、起動したプログラムの画面上に配置された入力項目を抽出し、その入力項目に関する入力情報を用いて、入力項目に自動入力した第２のアプリケーション画面を表示部１４に表示する。
例えば、業務処理の種類が「休職」の場合、起動された給与情報登録プログラム１５３では、「第１引数」Ｔ２２、「第２引数」Ｔ２３、「第５引数」Ｔ２６の入力項目に関する入力情報が、当該プログラムの画面上に配置された社員番号、就業区分、給与支給率の各入力項目に自動入力される。
また、業務処理の種類が「昇格」の場合、起動された給与情報登録プログラム１５３では、「第１引数」Ｔ２２、「第４引数」Ｔ２５〜「第６引数」Ｔ２７の入力項目に関する入力情報が、当該プログラムの画面上に配置された社員番号、資格手当、家族手当、特別手当の各入力項目に自動入力される。
【００３２】
次いで、操作部１２を介して、第２のアプリケーション画面上の入力情報の内容を確定する指示を受け付けると（ステップＳ１０９）、ＣＰＵ１１は、判定テーブルＴ２の「業務処理」Ｔ２１から、入力された業務処理の種類に該当する行を参照し、その行の「プログラム３」列に記載されているプログラムを起動する（ステップＳ１１０）。
例えば、入力された業務処理の種類が「休職」の場合、ＣＰＵ１１は、「業務処理」Ｔ２１が「休職」となっている行の「プログラム３」列を参照して、通勤手当情報登録プログラム１５４を起動する。
また、入力された業務処理の種類が「昇格」の場合、ＣＰＵ１１は、「業務処理」Ｔ２１が「昇格」となっている行の「プログラム３」列を参照して、発令情報実行プログラム１５６を起動する。
【００３３】
次いで、ＣＰＵ１１は、入力画面２０で入力された入力情報に基づいて、起動したアプリケーションプログラムの画面上に配置された入力項目を自動入力した第３のアプリケーション画面（図８、図１２参照）を表示部１４に表示する（ステップＳ１１１）。
具体的には、ＣＰＵ１１は、「第１引数」Ｔ２２〜「第６引数」Ｔ２７により設定された入力項目の中から、起動したプログラムの画面上に配置された入力項目を抽出し、その入力項目に関する入力情報を用いて、入力項目に自動入力した第３のアプリケーション画面を表示部１４に表示する。
例えば、業務処理の種類が「休職」の場合、起動された通勤手当情報登録プログラム１５４では、「第１引数」Ｔ２２、「第６引数」Ｔ２７の入力項目に関する入力情報が、当該プログラムの画面上に配置された社員番号、通勤手当の入力項目の各入力項目に自動入力される。
また、業務処理の種類が「昇格」の場合、起動された発令情報実行プログラム１５６では、「第１引数」Ｔ２２〜「第３引数」Ｔ２４の入力項目に関する入力情報が、当該プログラムの画面上に配置された社員番号、発令後資格、発令日の各入力項目に自動入力される。
【００３４】
次いで、操作部１２を介して、第３のアプリケーション画面上の入力情報の内容を実行する指示を受け付ける（ステップＳ１１２）、ＣＰＵ１１は、本処理を終了する。
【００３５】
次に、各画面について具体的を挙げて説明する。
図５〜図８は、業務処理の種類として「休職」に関する人事情報の入力を行う場合の画面例である。
【００３６】
図５は、上記ステップＳ１０１で表示部１４に表示される入力画面２０の一例を示す図である。
図５に示すように、入力画面２０は、入力領域２１と、実行ボタン２２と、を有する。
入力領域２１は、ユーザが、業務処理に係る複数の入力項目に関する入力情報を、当該業務処理に関する複数のアプリケーションプログラムを起動させるためのコマンド形式で一括入力するための領域である。
入力領域２１には、入力情報が順番に連続して入力される。具体的に、入力領域２１においては、一端部（左端部）から他端部（右端部）に向かって、入力情報である文字列を入力することができ、一の文字列を入力すると、その文字列の終わりに区切り線２１ａが表示されるようになっている。即ち、入力領域２１は、区切り線２１ａで区切られた複数の領域（第１入力項目）を有し、各領域に入力情報が入力される。
【００３７】
また、入力領域２１の上方には、入力領域２１に次に入力する入力項目をユーザに提示する補助ガイダンス表示領域２１ｂが設けられている。補助ガイダンス表示領域２１ｂは、入力領域２１に次に入力すべき入力情報が何であるか、ユーザに対してガイダンスを表示する領域であり、入力領域２１に対して一の文字列を入力すると、それに応じて、次に入力すべき入力情報が何であるかを示すガイダンスが表示される。
【００３８】
例えば、図５の場合、先ず、ユーザによる入力開始前においては、補助ガイダンス表示領域２１ｂに、補助ガイダンスとして「業務イベント」と表示されている。ユーザは、補助ガイダンスに従って、入力領域２１に「業務イベント」として「休職」と入力することができる。
次いで、ユーザにより、入力領域２１に「業務イベント」として「休職」が入力されると、補助ガイダンス表示領域２１ｂに、補助ガイダンスとして次の入力項目を示す「社員番号」が表示される。ユーザは、補助ガイダンスに従って、入力領域２１に「社員番号」として「１０００」と入力することができる。
次いで、ユーザにより、入力領域２１に「社員番号」として「１０００」が入力されると、入力された社員番号に応じた「社員氏名」が自動で入力される。また、補助ガイダンス表示領域２１ｂに、補助ガイダンスとして次の入力項目を示す「就業区分」が表示される。ユーザは、補助ガイダンスに従って、入力領域２１に「就業区分」として「休職（病気）」と入力することができる。
【００３９】
次いで、ユーザにより、入力領域２１に「就業区分」として「休職（病気）」が入力されると、補助ガイダンス表示領域２１ｂに、補助ガイダンスとして次の入力項目を示す「休職事由」が表示される。ユーザは、補助ガイダンスに従って、入力領域２１に「休職事由」として「メンタルヘルス治療」と入力することができる。
次いで、ユーザにより、入力領域２１に「休職事由」として「メンタルヘルス治療」が入力されると、補助ガイダンス表示領域２１ｂに、補助ガイダンスとして次の入力項目を示す「休職期間From-To」が表示される。
【００４０】
以下、同様にして、入力領域２１に文字列を入力するごとに、補助ガイダンス表示領域２１ｂには業務種類に応じた入力項目を示す補助ガイダンスが表示され、ユーザは、これに従い、適した文字列（入力情報）を入力することができる。
【００４１】
実行ボタン２２は、入力領域２１に入力が完了した後に操作されることで、その内容を確定するためのボタンである。
【００４２】
図６は、上記ステップＳ１０５で表示部１４に表示される第１のアプリケーション画面である休職情報登録画面３０の一例を示す図である。
図６に示すように、休職情報登録画面３０は、手順表示部３１と、入力項目表示部３２と、「次へ」ボタン３３と、を有する。
手順表示部３１は、画面の表示される順番を示す。ここでは、「休職」に対応し、「休職情報登録」、「給与情報登録」、「通勤手当情報登録」の登録画面が順番に表示されることが案内されている。また、表示中の登録画面については、色付けされる。
【００４３】
入力項目表示部３２は、複数の入力項目（第２入力項目）を有する。ここでは、「休職」に対応する入力項目として、社員番号入力欄３２ａ、社員氏名入力欄３２ｂ、性別入力欄３２ｃ、所属入力欄３２ｄ、就業区分入力欄３２ｅ、休職事由入力欄３２ｆ、休職期間入力欄３２ｇが表示されている。
このうち、社員番号入力欄３２ａ、社員氏名入力欄３２ｂ、性別入力欄３２ｃ、所属入力欄３２ｄは、全ての画面で共通の入力項目であり、就業区分入力欄３２ｅ、休職事由入力欄３２ｆ、休職期間入力欄３２ｇは、休職情報登録画面３０で独自の入力項目である。
【００４４】
社員番号入力欄３２ａは、休職する社員の番号の入力欄である。社員氏名入力欄３２ｂ、休職する社員の氏名の入力欄である。性別入力欄３２ｃは、休職する社員の性別の入力欄である。所属入力欄３２ｄは、休職する社員の所属の入力欄である。就業区分入力欄３２ｅは、就業区分の入力欄である。休職事由入力欄３２ｆは、休職事由の入力欄である。休職期間入力欄３２ｇは、休職する期間の入力欄である。
ここで、社員番号入力欄３２ａ、就業区分入力欄３２ｅ、休職事由入力欄３２ｆ、休職期間入力欄３２ｇには、入力画面２０に入力した入力情報が自動入力されて表示される。
また、社員氏名入力欄３２ｂ、性別入力欄３２ｃ、所属入力欄３２ｄには、社員番号に応じて、社員基本情報テーブルＴ１から該当する社員の情報が抽出されて、自動でその内容が入力されて表示される。
【００４５】
「次へ」ボタン３３は、入力項目表示部３２の各入力欄の内容をユーザが目視確認した後に操作されることで、その内容を確定するためのボタンである。
【００４６】
図７は、上記ステップＳ１０８で表示部１４に表示される第２のアプリケーション画面である給与情報登録画面４０の一例を示す図である。
図７に示すように、給与情報登録画面４０は、手順表示部４１と、入力項目表示部４２と、「次へ」ボタン４３と、を有する。
手順表示部４１は、手順表示部３１と同様である。
【００４７】
入力項目表示部４２は、複数の入力項目（第２入力項目）を有する。ここでは、「休職」に対応する入力項目として、社員番号入力欄４２ａ、社員氏名入力欄４２ｂ、性別入力欄４２ｃ、所属入力欄４２ｄ、就業区分入力欄４２ｅ、給与支給率入力欄４２ｆが表示されている。
このうち、社員番号入力欄４２ａ、社員氏名入力欄４２ｂ、性別入力欄４２ｃ、所属入力欄４２ｄは、全ての画面で共通の入力項目であり、就業区分入力欄４２ｅ、給与支給率入力欄４２ｆは、給与情報登録画面４０で独自の入力項目である。
【００４８】
社員番号入力欄４２ａは、休職する社員の番号の入力欄である。社員氏名入力欄４２ｂは、休職する社員の氏名の入力欄である。性別入力欄４２ｃは、休職する社員の性別の入力欄である。所属入力欄４２ｄは、休職する社員の所属の入力欄である。就業区分入力欄４２ｅは、就業区分の入力欄である。給与支給率入力欄４２ｆは、休職中の給与支給率の入力欄である。
ここで、社員番号入力欄４２ａ、就業区分入力欄４２ｅ、給与支給率入力欄４２ｆには、入力画面２０に入力した入力情報が自動入力されて表示される。
また、社員氏名入力欄４２ｂ、性別入力欄４２ｃ、所属入力欄４２ｄには、社員番号に応じて、社員基本情報テーブルＴ１から該当する社員の情報が抽出されて、自動でその内容が入力されて表示される。
【００４９】
「次へ」ボタン４３は、入力項目表示部４２の各入力欄の内容をユーザが目視確認した後に操作されることで、その内容を確定するためのボタンである。
【００５０】
図８は、上記ステップＳ１１１で表示部１４に表示される第３のアプリケーション画面である通勤手当情報登録画面５０の一例を示す図である。
図８に示すように、通勤手当情報登録画面５０は、手順表示部５１と、入力項目表示部５２と、終了ボタン５３と、を有する。
【００５１】
手順表示部５１は、手順表示部３１と同様である。
【００５２】
入力項目表示部５２は、複数の入力項目（第２入力項目）を有する。ここでは、「休職」に対応する入力項目として、社員番号入力欄５２ａ、社員氏名入力欄５２ｂ、性別入力欄５２ｃ、所属入力欄５２ｄ、通勤手当入力欄５２ｅ、通勤手当支給区分入力欄５２ｆが表示されている。
このうち、社員番号入力欄５２ａ、社員氏名入力欄５２ｂ、性別入力欄５２ｃ、所属入力欄５２ｄは、全ての画面で共通の入力項目であり、通勤手当入力欄５２ｅ、通勤手当支給区分入力欄５２ｆは、通勤手当情報登録画面５０で独自の入力項目である。
【００５３】
社員番号入力欄５２ａは、休職する社員の番号の入力欄である。社員氏名入力欄５２ｂは、休職する社員の氏名の入力欄である。性別入力欄５２ｃは、休職する社員の性別の入力欄である。所属入力欄５２ｄは、休職する社員の所属の入力欄である。通勤手当入力欄５２ｅは、休職中の通勤手当の入力欄である。通勤手当支給区分入力欄５２ｆは、休職中の通勤手当の支給区分の入力欄である。
ここで、社員番号入力欄５２ａ、通勤手当入力欄５２ｅには、入力画面２０に入力した入力情報が自動入力されて表示される。
また、通勤手当支給区分入力欄５２ｆには、通勤手当入力欄５２ｅに対応する入力情報に基づく所定内容が自動で表示される。
また、社員氏名入力欄５２ｂ、性別入力欄５２ｃ、所属入力欄５２ｄには、社員番号に応じて、社員基本情報テーブルＴ１から該当する社員の情報が抽出されて、自動でその内容が入力されて表示される。
【００５４】
終了ボタン５３は、入力項目表示部４２の各入力欄の内容をユーザが目視確認した後に操作されることで、その内容を確定し、本処理を終了するためのボタンである。
【００５５】
また、図９〜図１３は、業務処理の種類として「昇格」に関する人事情報の入力を行う場合の画面例である。
【００５６】
図９は、上記ステップＳ１０１で表示部１４に表示される入力画面２０−１の一例を示す図である。
図９に示すように、入力画面２０−１では、入力領域２１に「業務イベント」として「昇格」が入力されると、補助ガイダンス表示領域２１ｂに「社員番号」が表示される。
次いで、入力領域２１に「社員番号」として「１０００」が入力されると、これに続いて入力領域２１に「社員氏名：山田太郎」及び「現資格：Ｇ１」が自動で入力される。また、補助ガイダンス表示領域２１ｂに「発令後資格」が表示される。
次いで、入力領域２１に「発令後資格」として「Ｇ２」を入力されると、これに続いて入力領域２１に「辞令文：あなたをＧ２に任用します。」が自動で入力される。また、補助ガイダンス表示領域２１ｂに「発令日」が表示される。
次いで、入力領域２１に「発令日」として「２０１６年４月１日」を入力されると、補助ガイダンス表示領域２１ｂに「資格手当」が表示される。
次いで、入力領域２１に「資格手当」として「５００００」が入力されると、補助ガイダンス表示領域２１ｂに「家族手当」が表示される。
次いで、入力領域２１に「家族手当」として「２５０００」が入力されると、補助ガイダンス表示領域２１ｂに「特別手当」が表示される。
次いで、入力領域２１に「特別手当」として「２５０００」が入力されると、入力が完了する。
【００５７】
図１０は、上記ステップＳ１０５で表示部１４に表示される第１のアプリケーション画面である発令情報登録画面６０の一例を示す図である。
図１０に示すように、発令情報登録画面６０は、手順表示部６１と、入力項目表示部６２と、「次へ」ボタン６３と、を有する。
【００５８】
手順表示部６１は、画面の表示される順番を示す。ここでは、「昇格」に対応し、「発令情報登録」、「給与情報登録」、「発令情報実行」の画面が順番に表示されることが案内されている。また、表示中の画面については、色付けされる。
【００５９】
入力項目表示部６２は、複数の入力項目（第２入力項目）を有する。ここでは、「昇格」に対応する入力項目として、社員番号入力欄６２ａ、社員氏名入力欄６２ｂ、性別入力欄６２ｃ、所属入力欄６２ｄ、発令日入力欄６２ｅ、現資格入力欄６２ｆ、発令後資格入力欄６２ｇ、辞令文入力欄６２ｈが表示されている。
このうち、社員番号入力欄６２ａ、社員氏名入力欄６２ｂは、全ての画面で共通の入力項目であり、性別入力欄６２ｃ、所属入力欄６２ｄ、発令日入力欄６２ｅ、現資格入力欄６２ｆ、発令後資格入力欄６２ｇ、辞令文入力欄６２ｈは、発令情報登録画面６０で独自の入力項目である。
【００６０】
社員番号入力欄６２ａは、昇給する社員の番号の入力欄である。社員氏名入力欄６２ｂ、昇給する社員の氏名の入力欄である。性別入力欄６２ｃは、昇給する社員の性別の入力欄である。所属入力欄６２ｄは、昇給する社員の所属の入力欄である。発令日入力欄６２ｅは、昇給の辞令の発令日の入力欄であるである。現資格入力欄６２ｆは、昇給前の資格の入力欄である。発令後資格入力欄６２ｇは、昇給後の資格の入力欄である。辞令文入力欄６２ｈは、昇給に関する辞令文の入力欄である。
ここで、社員番号入力欄６２ａ、発令日入力欄６２ｅ、発令後資格入力欄６２ｇには、入力画面２０に入力した入力情報が自動入力されて表示される。
また、社員氏名入力欄６２ｂ、性別入力欄６２ｃ、所属入力欄６２ｄ、現資格入力欄６２ｆには、社員番号に応じて、社員基本情報テーブルＴ１から該当する社員の情報が抽出されて、自動でその内容が入力されて表示される。
【００６１】
「次へ」ボタン６３は、入力項目表示部６２の各入力欄の内容をユーザが目視確認した後に操作されることで、その内容を確定するためのボタンである。
【００６２】
図１１は、上記ステップＳ１０８で表示部１４に表示される第２のアプリケーション画面である給与情報登録画面７０の一例を示す図である。
図１１に示すように、給与情報登録画面７０は、手順表示部７１と、入力項目表示部７２と、「次へ」ボタン７３と、を有する。
手順表示部７１は、手順表示部６１と同様である。
【００６３】
入力項目表示部７２は、複数の入力項目（第２入力項目）を有する。ここでは、「昇給」に対応する入力項目として、社員番号入力欄７２ａ、社員氏名入力欄７２ｂ、資格手当入力欄７２ｃ、家族手当入力欄７２ｄ、特別手当入力欄７２ｅ、住宅手当入力欄７２ｆ、寒冷地手当入力欄７２ｇが表示されている。
このうち、社員番号入力欄７２ａ、社員氏名入力欄７２ｂは、全ての画面で共通の入力項目であり、資格手当入力欄７２ｃ、家族手当入力欄７２ｄ、特別手当入力欄７２ｅ、住宅手当入力欄７２ｆ、寒冷地手当入力欄７２ｇは、給与情報登録画面７０で独自の入力項目である。
【００６４】
社員番号入力欄７２ａは、昇給する社員の番号の入力欄である。社員氏名入力欄７２ｂは、昇給する社員の氏名の入力欄である。資格手当入力欄７２ｃは、昇給する社員の資格手当の入力欄である。家族手当入力欄７２ｄは、昇給する社員の家族手当の入力欄である。特別手当入力欄７２ｅは、昇給する社員の特別手当の入力欄である。住宅手当入力欄７２ｆは、昇給する社員の住宅手当の入力欄である。寒冷地手当入力欄７２ｇは、昇給する社員の勤務地が寒冷地だった場合の寒冷地手当の入力欄である。
ここで、資格手当入力欄７２ｃ、家族手当入力欄７２ｄ、特別手当入力欄７２ｅには、入力画面２０に入力した入力情報が自動入力されて表示される。
また、社員番号入力欄７２ａ、社員氏名入力欄７２ｂ、住宅手当入力欄７２ｆ、寒冷地手当入力欄７２ｇには、社員番号に応じて、社員基本情報テーブルＴ１から該当する社員の情報が抽出されて、自動でその内容が入力されて表示される。
【００６５】
「次へ」ボタン７３は、入力項目表示部７２の各入力欄の内容をユーザが目視確認した後に操作されることで、その内容を確定するためのボタンである。
【００６６】
図１２は、上記ステップＳ１１１で表示部１４に表示される第３のアプリケーション画面である発令情報実行画面８０の一例を示す図である。
図１２に示すように、発令情報実行画面８０は、手順表示部８１と、入力項目表示部８２と、終了ボタン８３と、を有する。
【００６７】
手順表示部８１は、手順表示部６１と同様である。
【００６８】
入力項目表示部８２は、複数の入力項目（第２入力項目）を有する。ここでは、「昇格」に対応する入力項目として、社員番号入力欄８２ａ、社員氏名入力欄８２ｂ、発令日入力欄８２ｃ、現資格入力欄８２ｄ、発令後資格入力欄８２ｅ、辞令文入力欄８２ｆ、辞令処理選択欄８２ｇが表示されている。
このうち、社員番号入力欄８２ａ、社員氏名入力欄８２ｂは、全ての画面で共通の入力項目であり、発令日入力欄８２ｃ、現資格入力欄８２ｄ、発令後資格入力欄８２ｅ、辞令文入力欄８２ｆ、辞令処理選択欄８２ｇは、発令情報実行画面８０で独自の入力項目である。
【００６９】
社員番号入力欄８２ａは、昇格する社員の番号の入力欄である。社員氏名入力欄８２ｂは、昇格する社員の氏名の入力欄である。発令日入力欄８２ｃは、昇給の辞令の発令日の入力欄であるである。現資格入力欄８２ｄは、昇給前の資格の入力欄である。発令後資格入力欄８２ｅは、昇給後の資格の入力欄である。辞令文入力欄８２ｆは、昇給に関する辞令文の入力欄である。辞令処理選択欄８２ｇは、辞令の処理方法を選択する欄である。
ここで、社員番号入力欄８２ａ、発令日入力欄８２ｃ、発令後資格入力欄８２ｅには、入力画面２０に入力した入力情報が自動入力されて表示される。
また、社員氏名入力欄８２ｂ、現資格入力欄８２ｄには、社員番号に応じて、社員基本情報テーブルＴ１から該当する社員の情報が抽出されて、自動でその内容が入力されて表示される。
【００７０】
終了ボタン８３は、入力項目表示部８２の各入力欄の内容をユーザが目視確認した後に操作されることで、その内容を確定し、本処理を終了するためのボタンである。
【００７１】
このように、本実施の形態の人事情報入力処理によれば、アプリケーション画面の入力欄は、各画面が表示された時点で、自動で入力されている。このため、一般にはユーザが手作業で入力するところ、内容を目視確認するだけで良い。なお、修正事項がある場合には、修正入力が可能なのは勿論である。
【００７２】
以上のように、本実施の形態によれば、ＣＰＵ１１は、業務処理に係る複数の入力項目に関する入力情報を、当該業務処理に関する複数のアプリケーションプログラムを起動させるためのコマンド形式でユーザが一括で入力する入力画面２０を表示部１４に表示させ、入力画面２０に入力された入力情報に基づき複数のアプリケーションプログラムを起動させ、複数のアプリケーション画面を表示部１４に表示させる。このとき、ＣＰＵ１１は、複数のアプリケーション画面の各々における複数の入力項目に対して、入力画面２０に入力された入力情報を反映させて表示部１４に表示させる。
このため、業務処理に係る複数の入力項目に関する入力情報をユーザが一括で入力するだけで、各アプリケーション画面に入力情報が反映されるので、業務処理を行う際の操作を簡便化し、業務の操作性向上を図ることができる。
【００７３】
また、本実施の形態によれば、業務処理の種類と、起動するアプリケーションプログラムを対応づけて記憶する記憶部１５を備え、ＣＰＵ１１は、記憶部１５に基づいて、入力画面２０に入力された入力項目に係る業務処理の種類に対応するアプリケーションプログラムを選択して起動させる。
このため、業務処理の種類を入力するだけで、その業務処理に対応するアプリケーションプログラムを起動させることができる。
【００７４】
また、本実施の形態によれば、入力画面２０は、業務処理に係る複数の入力項目に関する入力情報が順番に連続して入力される入力領域２１を有する。
このため、ユーザの入力操作を簡単にすることができる。
【００７５】
また、本実施の形態によれば、入力項目は、複数のアプリケーション画面で共通の入力項目と、各アプリケーション画面で独自の入力項目とを有し、入力領域２１には、共通の入力項目に関する入力情報と、独自の入力項目に関する入力情報とが入力され、ＣＰＵ１１は、複数のアプリケーション画面の共通の入力項目に対して、入力画面２０に入力された共通の入力項目に関する入力情報を共用する。
このため、共通の入力項目に関する入力情報の入力は一度でよく、ユーザの入力操作を簡単にすることができる。
【００７６】
また、本実施の形態によれば、入力画面２０は、業務処理に係る複数の入力項目に関する入力情報が順番に連続して入力される入力領域２１と、入力領域２１に次に入力する入力項目をユーザに提示する補助ガイダンス表示領域２１ｂと、を有する。
このため、ユーザの入力操作を行い易くすることができる。
【００７７】
なお、上記実施の形態においては、業務処理入力において「休職」及び「昇格」が選択された場合を例示して説明したが、その他の種類の業務処理入力を行うことができるのは勿論である。
【００７８】
また、上記実施の形態における人事情報管理装置１０の各構成要素の細部構成及び細部動作に関しては、本発明の趣旨を逸脱することのない範囲で適宜変更可能であることは勿論である。
【００７９】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
業務処理に係る複数の入力項目に関する入力情報を、当該業務処理に関する複数のアプリケーションプログラムを起動させるためのコマンド形式でユーザが一括で入力する入力画面を表示手段に表示させる第１の表示制御手段と、
前記入力画面に入力された入力情報に基づき複数のアプリケーションプログラムを起動させ、複数のアプリケーション画面を前記表示手段に表示させる第２の表示制御手段と、
を備え、
前記第２の表示制御手段は、前記複数のアプリケーション画面の各々における複数の入力項目に対して、前記入力画面に入力された入力情報を反映させて前記表示手段に表示させる情報処理装置。
＜請求項２＞
業務処理の種類と、起動するアプリケーションプログラムとを対応づけて記憶する記憶手段を備え、
前記第２の表示制御手段は、前記記憶手段に基づいて、前記入力画面に入力された入力項目に係る業務処理の種類に対応するアプリケーションプログラムを選択して起動させる請求項１に記載の情報処理装置。
＜請求項３＞
前記入力画面は、業務処理に係る複数の入力項目に関する入力情報が順番に連続して入力される入力領域を有する請求項１又は２に記載の情報処理装置。
＜請求項４＞
前記入力項目は、前記複数のアプリケーション画面で共通の入力項目と、各アプリケーション画面で独自の入力項目と、を有し、
前記入力領域には、前記共通の入力項目に関する入力情報と、前記独自の入力項目に関する入力情報とが入力され、
前記第２の表示制御手段は、前記複数のアプリケーション画面の前記共通の入力項目に対して、前記入力画面に入力された前記共通の入力項目に関する入力情報を共用する請求項３に記載の情報処理装置。
＜請求項５＞
前記入力画面は、
業務処理に係る複数の入力項目に関する入力情報が順番に連続して入力される入力領域と、
前記入力領域に次に入力する入力項目をユーザに提示する補助ガイダンス表示領域と、
を有する請求項１〜４のいずれか一項に記載の情報処理装置。
＜請求項６＞
業務処理に係る複数の第１入力項目に関する入力情報を、当該業務処理に関する複数のアプリケーションプログラムを起動させるためのコマンド形式でユーザが入力する入力画面を表示手段に表示させる第１の表示制御手段と、
前記入力画面に入力された入力情報に基づき複数のアプリケーションプログラムを起動させ、所定の順にアプリケーション画面を前記表示手段に表示させる第２の表示制御手段と、
を備え、
前記第２の表示制御手段は、前記アプリケーション画面の各々における複数の第２入力項目に対して、前記入力画面に入力された入力情報のうち少なくとも一部の前記第１入力項目に入力された入力情報を反映させて前記表示手段に表示させる情報処理装置。
＜請求項７＞
コンピュータを、
業務処理に係る複数の入力項目に関する入力情報を、当該業務処理に関する複数のアプリケーションプログラムを起動させるためのコマンド形式でユーザが一括で入力する入力画面を表示手段に表示させる第１の表示制御手段、
前記入力画面に入力された入力情報に基づき複数のアプリケーションプログラムを起動させ、複数のアプリケーション画面を前記表示手段に表示させる第２の表示制御手段、
として機能させるプログラムであって、
前記第２の表示制御手段は、前記複数のアプリケーション画面の各々における複数の入力項目に対して、前記入力画面に入力された入力情報を反映させて前記表示手段に表示させるプログラム。
＜請求項８＞
コンピュータを、
業務処理に係る複数の第１入力項目に関する入力情報を、当該業務処理に関する複数のアプリケーションプログラムを起動させるためのコマンド形式でユーザが入力する入力画面を表示手段に表示させる第１の表示制御手段、
前記入力画面に入力された入力情報に基づき複数のアプリケーションプログラムを起動させ、所定の順にアプリケーション画面を前記表示手段に表示させる第２の表示制御手段、
として機能させるプログラムであって、
前記第２の表示制御手段は、前記アプリケーション画面の各々における複数の第２入力項目に対して、前記入力画面に入力された入力情報のうち少なくとも一部の前記第１入力項目に入力された入力情報を反映させて前記表示手段に表示させるプログラム。
【符号の説明】
【００８０】
１０  人事情報管理装置
１１  ＣＰＵ（第１の表示制御手段、第２の表示制御手段）
１２  操作部
１３  ＲＡＭ
１４  表示部（表示手段）
２０、２０−１  入力画面
２１  入力領域
２１ａ  区切り線
２１ｂ  補助ガイダンス表示領域
３０  休職情報登録画面（アプリケーション画面）
４０  給与情報登録画面（アプリケーション画面）
５０  通勤手当情報登録画面（アプリケーション画面）
６０  発令情報登録画面（アプリケーション画面）
７０  給与情報登録画面（アプリケーション画面）
８０  発令情報実行画面（アプリケーション画面）
１５  記憶部（記憶手段）
Ｔ１  社員基本情報テーブル
Ｔ２  判定テーブル
１５１  人事情報入力プログラム
１５２  休職情報登録プログラム
１５３  給与情報登録プログラム
１５４  通勤手当情報登録プログラム
１５５  発令情報登録プログラム
１５６  発令情報実行プログラム
１５７  基本情報登録プログラム
１６  通信部
１７  バス
【図１】
2018101167.tif 000003
【図２】
2018101167.tif 000004
【図３】
2018101167.tif 000005
【図４】
2018101167.tif 000006
【図５】
2018101167.tif 000007
【図６】
2018101167.tif 000008
【図７】
2018101167.tif 000009
【図８】
2018101167.tif 000010
【図９】
2018101167.tif 000011
【図１０】
2018101167.tif 000012
【図１１】
2018101167.tif 000013
【図１２】
2018101167.tif 000014